(57)【特許請求の範囲】
【請求項１】
送信電力制御信号を用いる符号分割多重通信の送信電力制御方法であって、前記送信電力制御信号を生成する処理の遅延を監視し、前記遅延によって前記送信電力制御信号のフィードバックが遅れると判断される場合は、受信ＳＩＲ（Ｓｉｇｎａｌ  ｔｏ  Ｉｎｔｅｒｆｅｒｅｎｃｅ  Ｒａｔｉｏ）推定に用いるパイロット信号の長さを変えることを特徴とする符号分割多重通信の送信電力制御方法。
【請求項２】
送信電力制御信号を用いる符号分割多重通信における送信電力制御方法であって、前記送信電力制御信号を生成する比較基準である目標ＳＩＲによって前記送信電力制御信号のフィードバック遅延を許可するか否かの場合分けをし、前記フィードバック遅延を許可する場合は受信ＳＩＲ推定に用いるパイロット信号の長さを変えず、前記フィードバック遅延を許可しない場合は前記パイロット信号の長さを変えることを特徴とする符号分割多重通信の送信電力制御方法。
【請求項３】
受信信号に含まれるパイロット信号から求めた送信電力制御信号を送信信号に乗せて伝送する符号分割多重通信の送信電力制御方法であって、前記パイロット信号から前記送信電力制御信号を生成する処理が所定時点に間に合うか否かを判断するステップと、前記所定時点に間に合わなければ、前記送信電力制御信号を生成する比較基準である目標ＳＩＲの大きさを所定ＳＩＲと比較するステップと、前記目標ＳＩＲが前記所定ＳＩＲより小さければ、前記送信電力制御信号のフィードバック遅延を認め前記パイロット信号の長さを変えないステップと、前記目標ＳＩＲが前記所定ＳＩＲより大きければ、前記フィードバック遅延を認めず前記パイロット信号の長さを変えるステップと、を備えることを特徴とする符号分割多重通信の送信電力制御方法。
【請求項４】
前記パイロット信号を構成するパイロットビットの数を変えることによって前記パイロット信号の長さを変えることを特徴とする請求項１〜３のいずれか１項に記載の符号分割多重通信の送信電力制御方法。
【請求項５】
前記パイロット信号を構成するパイロットビットの数を削減することによって前記パイロット信号の長さを変えることを特徴とする請求項１〜３のいずれか１項に記載の符号分割多重通信の送信電力制御方法。
【請求項６】
送信電力制御信号を用いる符号分割多重通信の送信電力制御通信装置であって、前記送信電力制御信号を生成する処理の遅延を監視する手段と、前記遅延によって前記送信電力制御信号のフィードバックが遅れると判断される場合は、受信ＳＩＲ推定に用いるパイロット信号の長さを変える手段と、を備えることを特徴とする符号分割多重通信の送信電力制御通信装置。
【請求項７】
送信電力制御信号を用いる符号分割多重通信の送信電力制御通信装置であって、前記送信電力制御信号を生成する比較基準である目標ＳＩＲによって前記送信電力制御信号のフィードバック遅延を許可するか否かの場合分けをし、前記フィードバック遅延を許可する場合は受信ＳＩＲ推定に用いるパイロット信号の長さを変えず、前記フィードバック遅延を許可しない場合は前記パイロット信号の長さを変える受信ＳＩＲ推定手段を備えることを特徴とする符号分割多重通信の送信電力制御通信装置。
【請求項８】
受信信号に含まれるパイロット信号から求めた送信電力制御信号を送信信号に乗せて伝送する符号分割多重通信の送信電力制御通信装置であって、前記パイロット信号から推定した受信ＳＩＲ推定値を出力し、前記送信電力制御信号を生成処理する終了時点が所定時点を超えたか否かの処理遅延情報によって前記パイロット信号の長さを変える受信ＳＩＲ推定手段と、前記受信ＳＩＲ推定値と前記送信電力制御信号を生成する比較基準である目標ＳＩＲとの比較結果から前記送信電力制御信号を生成し、前記処理遅延情報を出力する送信電力制御信号生成手段と、前記送信信号におけるスロット遅延を生じることなく前記送信電力制御信号を前記送信信号に乗せるための前記所定時点を生成するデッドライン発生手段と、を備えることを特徴とする符号分割多重通信の送信電力制御通信装置。
【請求項９】
前記パイロット信号を構成するパイロットビットの数を変えることによって前記パイロット信号の長さを変えることを特徴とする請求項６〜８のいずれか１項に記載の符号分割多重通信の送信電力制御通信装置。
【請求項１０】
前記パイロット信号を構成するパイロットビットの数を削減することによって前記パイロット信号の長さを変えることを特徴とする請求項６〜８のいずれか１項に記載の符号分割多重通信の送信電力制御通信装置。
【請求項１１】
請求項６〜１０のいずれか１項に記載の符号分割多重通信の送信電力制御通信装置を、基地局及び／又は移動局に使用することを特徴とする移動体通信システム。
【発明の詳細な説明】
【０００１】
【発明の属する技術分野】
本発明は、符号分割多重通信（ＣＤＭＡ）を適用した移動体通信システムにおける送信電力制御方法および通信装置に関し、特に送信電力制御信号のフィードバック遅延対策および電力制御精度の向上技術に関する。
【０００２】
【従来の技術】
スペクトラム拡散方式を用いた符号分割多重通信では全ての移動局が同一周波数の搬送波を用いるが、拡散符号が完全に直交していれば、他の移動局からの信号は干渉成分にならない。
【０００３】
しかし、各移動局は異なるタイミングで送信し、そこに伝搬遅延も加わるため、拡散符号のタイミングは同期せず拡散符号は完全直交しない。そのため、上り回線では基地局から遠くにある移動局の信号に対して、基地局に近い移動局の信号が大きな干渉成分となる問題（遠近問題）が発生する。そこで、各移動局の送信電力を適切な大きさに制御する必要がある。
【０００４】
従来、送信電力制御手段のひとつに、信号電力と干渉電力の比（ＳＩＲ：Ｓｉｇｎａｌ  ｔｏ  Ｉｎｔｅｒｆｅｒｅｎｃｅ  Ｒａｔｉｏ）を利用して各移動局の送信電力を必要最小限に制御する方法がある。
【０００５】
図６は、基本的形態（従来）の送信電力制御信号生成処理のブロック図、図７は、基本的形態（従来）の送信電力制御信号生成のタイミングチャートをそれぞれ示す。
【０００６】
図６において、受信ＳＩＲ推定部１１は、パイロット信号から受信ＳＩＲを推定した受信ＳＩＲ推定値を出力する。比較部１２は、受信ＳＩＲ推定値とＳＩＲ制御目標となる目標ＳＩＲ（以下、ｔａｒｇｅｔ  ＳＩＲと称す）とを比較し、比較結果を出力する。ｔａｒｇｅｔ  ＳＩＲ発生部１３は、送信電力制御の比較基準となる目標ＳＩＲであるｔａｒｇｅｔ  ＳＩＲを発生し、比較部１２へ与える。送信電力制御信号生成部１４は、ｔａｒｇｅｔ  ＳＩＲと受信ＳＩＲ推定値との比較結果から移動局の送信電力をどの程度に制御すればよいかを判断し、送信電力制御信号を生成する。つまり、受信ＳＩＲ推定値が低い場合は移動局の送信電力を上げるような送信電力制御信号を生成し、受信ＳＩＲ推定値が高い場合は移動局の送信電力を下げるような送信電力制御信号を生成する。
【０００７】
ここで、図７に示すように、情報は上り受信信号／下り送信信号ともに同じ時間長のスロット単位で伝送されるものとする。移動局から基地局へ伝送される信号を上り信号、基地局から移動局へ伝送される信号を下り信号と呼び、移動局から送信されて基地局で受信した信号を上り受信信号、基地局から移動局へ向けて送信する信号を下り送信信号とする。
【０００８】
また、上り受信信号のスロットの先頭部分にはパイロット信号７０１と呼ばれる固定ビットパタン部分が設けられている。また、下り送信信号の一部に、移動局における送信電力制御のための情報を乗せる部分（以下、ＴＰＣ７０２と称す）を設ける。上り受信信号のパイロット信号７０１を用いて求めた移動局における送信電力制御信号を、下り送信信号のＴＰＣ７０２に乗せて移動局へ伝送する。
【０００９】
次に、図６の動作の詳細を、図７を用いて説明する。始めに、受信ＳＩＲ推定部１１においてパイロット信号から受信ＳＩＲの推定を行う。次に、推定された受信ＳＩＲ推定値とｔａｒｇｅｔ  ＳＩＲとを比較部１２にて比較し、比較結果を送信電力制御信号生成部１４へ出力する。送信電力制御信号生成部１４では、移動局の送信電力をどの程度に制御すればよいか、すなわち送信電力を現状よりも大きくするか小さくするかという送信電力制御信号を求めて（生成して）、下り送信信号のＴＰＣ７０２に乗せる。移動局は下り信号を受信し、ＴＰＣ７０２の送信電力制御信号に従って送信電力を制御する。
【００１０】
例えば、基地局における上り受信信号の受信ＳＩＲ推定値がｔａｒｇｅｔ  ＳＩＲよりも大きい場合は、移動局から送信する送信電力を小さくするような送信電力制御信号を移動局へ送信することになる。
【００１１】
【発明が解決しようとする課題】
しかしながら、上述した従来のシステムには、次のような問題がある。移動局の上り送信タイミングと基地局の下り送信タイミングの時間差は一定であるため、通常の動作状態においては、常に一定の時間間隔で送信電力制御信号が移動局にフィードバックされている。しかし、上り受信信号の遅延等によって受信ＳＩＲ推定および送信電力制御信号生成処理が遅れて移動局への送信電力制御信号のフィードバックが遅延すると、通常時（通常の動作状態）のような一定間隔での送信電力制御が不可能となる。このフィードバック遅延は送信電力制御の精度を低下させ、延いては通信品質の劣化要因となるので、受信ＳＩＲ推定および送信電力制御信号生成処理が遅れても送信電力制御信号のフィードバックに遅延を発生させないような対策が必要となる。
【００１２】
図８は、基本的形態（従来）のフィードバック遅延発生のタイミングチャートを示す。斜線部分は、パイロット信号から移動局の送信電力制御信号を求める（生成する）一連の処理に必要な時間である送信電力制御信号生成処理時間Ｔ1を表している。
【００１３】
今、基地局内のある基準時ｔ0を下り送信信号の先頭とし、基地局内のある基準時ｔ0に対して上り受信信号がケース１〜３のタイミングで受信されているとする。図中のデッドライン（所定時点）とは、移動局へ伝送する送信電力制御信号を次のスロット８０７のＴＰＣ８０４に乗せるために必要な時間Ｔ2を、ＴＰＣ８０４の先頭位置を表す時点８０６から引いた時点である。このデッドライン（所定時点）までに送信電力制御信号の生成処理が終了しなければ、１スロット遅延が生じ、スロット８０８のＴＰＣ８０５に、ケース１〜３のいずれかで得た送信電力制御信号を乗せることになる。したがって、パイロット信号から送信電力制御信号を求める一連の処理（送信電力制御信号生成処理）はこのデッドライン（所定時点）までに終了しなければならない。
【００１４】
ケース１、ケース２は、送信電力制御信号生成処理の終了時点８０１、８０２（斜線部分の最後）がデッドラインよりも前にあるので、送信電力制御信号をＴＰＣ８０４に乗せることができる。これが通常状態である。
【００１５】
しかし、ケース３では、送信電力制御信号生成処理の終了時点８０３がデッドラインを超えている。送信電力制御信号を乗せるＴＰＣはスロット内の固定位置であるため、ケース３においては送信電力制御信号を通常の動作状態で行われるように、スロット８０７に含まれるＴＰＣ８０４に乗せることができず、１スロット遅延したスロット８０８に含まれるＴＰＣ８０５に乗せることとなり、移動局における送信電力制御には１スロット分のフィードバック遅延が発生する。
【００１６】
以上をまとめると、問題点はケース３の場合において、移動局における送信電力制御の精度が低下することであり、その理由は、上り受信信号の遅延等によって送信電力制御信号生成処理が遅れると、送信電力制御のフィードバック遅延が発生するためである。
【００１７】
本発明の目的は、移動局における送信電力制御のフィードバック遅延を抑制し、高精度の送信電力制御を可能とすることである。
【００１８】
また、本発明の他の目的は、様々な通信環境下においても高精度の送信電力制御を提供することである。
【００１９】
【課題を解決するための手段】
上記の目的を達成するために、本発明の第１の符号分割多重通信の送信電力制御方法は、送信電力制御信号を用いる符号分割多重通信の送信電力制御方法であって、前記符号分割多重通信の受信信号に含まれるパイロット信号の長さを変えて前記送信電力制御信号の生成処理を開始することを特徴とする。
【００２０】
本発明の第２の符号分割多重通信の送信電力制御方法は、送信電力制御信号を用いる符号分割多重通信の送信電力制御方法であって、前記送信電力制御信号を生成する処理の遅延を監視し、前記遅延によって前記送信電力制御信号のフィードバックが遅れると判断される場合は、受信ＳＩＲ推定に用いるパイロット信号の長さを変えることを特徴とする。
【００２１】
本発明の第３の符号分割多重通信の送信電力制御方法は、送信電力制御信号を用いる符号分割多重通信における送信電力制御方法であって、前記送信電力制御信号を生成する比較基準である目標ＳＩＲによって前記送信電力制御信号のフィードバック遅延を許可するか否かの場合分けをし、前記フィードバック遅延を許可する場合は受信ＳＩＲ推定に用いるパイロット信号の長さを変えず、前記フィードバック遅延を許可しない場合は前記パイロット信号の長さを変えることを特徴とする。
【００２２】
本発明の第４の符号分割多重通信の送信電力制御方法は、受信信号に含まれるパイロット信号から求めた送信電力制御信号を送信信号に乗せて伝送する符号分割多重通信の送信電力制御方法であって、前記パイロット信号から前記送信電力制御信号を生成する処理が所定時点に間に合うか否かを判断するステップと、前記所定時点に間に合わなければ、前記送信電力制御信号を生成する比較基準である目標ＳＩＲの大きさを所定ＳＩＲと比較するステップと、前記目標ＳＩＲが前記所定ＳＩＲより小さければ、前記送信電力制御信号のフィードバック遅延を認め前記パイロット信号の長さを変えないステップと、前記目標ＳＩＲが前記所定ＳＩＲより大きければ、前記フィードバック遅延を認めず前記パイロット信号の長さを変えるステップと、を備えることを特徴とする。
【００２３】
本発明の第１〜４の符号分割多重通信の送信電力制御方法において、前記パイロット信号を構成するパイロットビットの数を変えることによって前記パイロット信号の長さを変えることを特徴とする。
【００２４】
本発明の第１〜４の符号分割多重通信の送信電力制御方法において、前記パイロット信号を構成するパイロットビットの数を削減することによって前記パイロット信号の長さを変えることを特徴とする。
【００２５】
本発明の第１の符号分割多重通信の送信電力制御通信装置は、送信電力制御信号を用いる符号分割多重通信の送信電力制御通信装置であって、前記符号分割多重通信の受信信号に含まれるパイロット信号の長さを変えて前記送信電力制御信号の生成処理を開始する手段を備えることを特徴とする。
【００２６】
本発明の第２の符号分割多重通信の送信電力制御通信装置は、送信電力制御信号を用いる符号分割多重通信の送信電力制御通信装置であって、前記送信電力制御信号を生成する処理の遅延を監視する手段と、前記遅延によって前記送信電力制御信号のフィードバックが遅れると判断される場合は、受信ＳＩＲ推定に用いるパイロット信号の長さを変える手段と、を備えることを特徴とする。
【００２７】
本発明の第３の符号分割多重通信の送信電力制御通信装置は、送信電力制御信号を用いる符号分割多重通信の送信電力制御通信装置であって、前記送信電力制御信号を生成する比較基準である目標ＳＩＲによって前記送信電力制御信号のフィードバック遅延を許可するか否かの場合分けをし、前記フィードバック遅延を許可する場合は受信ＳＩＲ推定に用いるパイロット信号の長さを変えず、前記フィードバック遅延を許可しない場合は前記パイロット信号の長さを変える受信ＳＩＲ推定手段を備えることを特徴とする。
【００２８】
本発明の第４の符号分割多重通信の送信電力制御通信装置は、受信信号に含まれるパイロット信号から求めた送信電力制御信号を送信信号に乗せて伝送する符号分割多重通信の送信電力制御通信装置であって、前記パイロット信号から推定した受信ＳＩＲ推定値を出力し、前記送信電力制御信号を生成処理する終了時点が所定時点を超えたか否かの処理遅延情報によって前記パイロット信号の長さを変える受信ＳＩＲ推定手段と、前記受信ＳＩＲ推定値と前記送信電力制御信号を生成する比較基準である目標ＳＩＲとの比較結果から前記送信電力制御信号を生成し、前記処理遅延情報を出力する送信電力制御信号生成手段と、前記送信信号におけるスロット遅延を生じることなく前記送信電力制御信号を前記送信信号に乗せるための前記所定時点を生成するデッドライン発生手段と、を備えることを特徴とする。
【００２９】
本発明の第１〜４の符号分割多重通信の送信電力制御通信装置において、前記パイロット信号を構成するパイロットビットの数を変えることによって前記パイロット信号の長さを変えることを特徴とする。
【００３０】
本発明の第１〜４の符号分割多重通信の送信電力制御通信装置において、前記パイロット信号を構成するパイロットビットの数を削減することによって前記パイロット信号の長さを変えることを特徴とする。
【００３１】
上述した本発明の前記符号分割多重通信の送信電力制御通信装置を、基地局及び／又は移動局に使用した移動体通信システムであることを特徴としている。
【００３２】
【発明の実施の形態】
《第１の実施形態》
図１は、本発明による符号分割多重通信の送信電力制御通信装置の第１の実施形態における送信電力制御信号生成処理のブロック図を示す。なお、この図において、図６の各部と同じ部分には、同じ符号を付している。
【００３３】
受信ＳＩＲ推定部２１は、パイロット信号から受信ＳＩＲを推定した受信ＳＩＲ推定値を出力する。また、送信電力制御信号生成部２２からの処理遅延情報（送信電力制御信号生成処理の終了時点がデッドライン（所定時点）を超えたか否かの情報）によって受信ＳＩＲ推定に用いるパイロット信号のパイロットビットの数を削減（変更）することで、パイロット信号の長さを変える。
【００３４】
送信電力制御信号生成部２２は、受信ＳＩＲ推定部２１が出力する受信ＳＩＲ推定値とｔａｒｇｅｔ  ＳＩＲ発生部１３が出力するｔａｒｇｅｔ  ＳＩＲ（目標ＳＩＲ）との比較結果から移動局の送信電力をどの程度に制御すればよいかを判断して、送信電力制御信号を生成する。つまり、受信ＳＩＲ推定値が低い場合は移動局の送信電力を上げるような送信電力制御信号を生成し、受信ＳＩＲ推定値が高い場合は移動局の送信電力を下げるような送信電力制御信号を生成する。ｔａｒｇｅｔ  ＳＩＲ（目標ＳＩＲ）は送信電力制御信号を生成する比較基準となる。また、送信電力制御信号生成処理の終了時点がデッドラインを超えているか否かを監視し、受信ＳＩＲ推定部２１に伝える。
【００３５】
デッドライン発生部２３は、デッドラインを発生し、送信電力制御信号生成部２２にデッドライン情報を与える。
【００３６】
比較部１２は、推定された受信ＳＩＲ（受信ＳＩＲ推定値）とｔａｒｇｅｔ  ＳＩＲ（目標ＳＩＲ）とを比較し、比較結果を送信電力制御信号生成部２２へ出力する。
【００３７】
ｔａｒｇｅｔ  ＳＩＲ発生部１３は、送信電力制御の比較基準となる目標ＳＩＲであるｔａｒｇｅｔ  ＳＩＲを発生し、比較部１２へ出力する。
【００３８】
次に、第１の実施形態の動作について説明する。図２は、フィードバック遅延回避のための処理タイミングチャートの一例を示す。図８で記載したケース１〜３に加え、ケース３におけるパイロットビットを削減したケース４（ケース４１、４２を含む）について説明する。図２において、パイロット信号２０１は８ビットの長さとする。
【００３９】
これまでに、送信電力制御信号生成処理の終了時点に関して、ケース１〜３を説明した。ケース１、２は、送信電力制御信号生成処理の終了時点８０１、８０２がデッドラインよりも前にある通常状態である。ケース３は、送信電力制御信号生成処理の終了時点８０３がデッドラインを超えた状態である。第１の実施形態では、ケース３における送信電力制御信号生成処理の終了時点８０３がデッドラインの前になるような処理をし、これをケース４としている。さらに、ケース４をケース４１とケース４２に分類している。以下、ケース４１、４２について説明する。
【００４０】
ケース４１において、パイロットビット８ビットを全部用いると、送信電力制御信号生成処理の終了時点２０２がデッドラインを超えてしまい、送信電力制御信号をＴＰＣ２０６に乗せることができない。そこで、パイロットビットを１ビット削減し、先頭の７ビットで受信ＳＩＲ推定処理を行うことで送信電力制御信号生成処理の終了時点２０３をデッドラインよりも前にする。
【００４１】
ケース４２も同様にパイロットビットを削減しているが、１ビットの削減ではまだ送信電力制御信号生成処理の終了時点２０４がデッドラインを超えてしまい、送信電力制御信号をＴＰＣ２０６に乗せることができない。そこで、パイロットビットを２ビット削減し、送信電力制御信号生成処理の終了時点２０５がデッドラインを超えないように６ビットで受信ＳＩＲ推定を行っている。このように、削減（変更）するパイロットビット数は適宜変更される。
【００４２】
デッドラインに間に合うかどうかの判断は送信電力制御信号生成部２２で行い、受信ＳＩＲ推定部２１ではその処理遅延情報によって受信ＳＩＲ推定に用いるパイロット信号の長さを変える（可変する）ためにパイロットビットの数を変える（可変する）。なお、移動局における送信電力制御処理に変更はない。
【００４３】
従って、図８に示したように、受信ＳＩＲ推定による送信電力制御信号生成処理の終了時点８０３がデッドラインより遅れた場合には、受信ＳＩＲ推定に用いるパイロット信号の長さを短く（パイロットビット数を減らす）し、減らしたビット長に相当する時間分だけ送信電力制御信号生成処理を早く開始することで、送信電力制御信号の生成処理をデッドラインまでに終了させる。この処理により、移動局への送信電力制御信号フィードバックに遅延は発生しなくなる。
【００４４】
《第２の実施形態》
図３は、本発明による符号分割多重通信の送信電力制御通信装置の第２の実施形態における送信電力制御信号生成処理のブロック図である。なお、この図において、図１の各部と同じ部分には、同じ符号を付し、機能が同一の場合はその説明を省略している。第２の実施形態のブロック図は、図１で示した本発明の第１の実施形態のブロック図の受信ＳＩＲ推定部２１を受信ＳＩＲ推定部３１に置き換え、ｔａｒｇｅｔ  ＳＩＲ発生部１３をｔａｒｇｅｔ  ＳＩＲ発生部３３に置き換えた構成になっている。
【００４５】
送信電力制御信号生成部２２は、受信ＳＩＲ推定値とｔａｒｇｅｔ  ＳＩＲとの比較結果から移動局の送信電力をどの程度に制御すればよいかを判断する。また、送信電力制御信号生成処理の終了時点がデッドラインを超えているか否かを監視し、受信ＳＩＲ推定部３１に伝える。
【００４６】
受信ＳＩＲ推定部３１は、パイロット信号から受信ＳＩＲを推定する。送信電力制御信号生成部２２からの処理遅延情報およびｔａｒｇｅｔ  ＳＩＲ発生部３３から出力されるｔａｒｇｅｔ  ＳＩＲの値によって受信ＳＩＲ推定に用いるパイロット信号の長さを変える。つまり、パイロット信号のパイロットビット数を減少させる。図４に示すｔａｒｇｅｔ  ＳＩＲによる場合分け機能は本ブロック（受信ＳＩＲ推定部３１）内に含まれる。
【００４７】
ｔａｒｇｅｔ  ＳＩＲ発生部３３は、送信電力制御の比較基準となる目標ＳＩＲであるｔａｒｇｅｔ  ＳＩＲを発生し、比較部１２および受信ＳＩＲ推定部３１へ出力する。
【００４８】
一方、ｔａｒｇｅｔ  ＳＩＲの値によっては、フィードバック遅延を発生させない処理を行った場合に必ずしも通信品質の劣化が抑制できるとは限らない可能性がある。それは、図２に示したようなパイロットビット数の削減処理を行うと、通信環境の劣化等によっては受信ＳＩＲの推定精度が低下し、実際の受信ＳＩＲ値と受信ＳＩＲ推定値との誤差が大きくなり過ぎると送信電力制御の精度も低下するためである。そこで、様々なｔａｒｇｅｔ  ＳＩＲにおいても通信品質の劣化を抑制する送信電力制御について以下に説明する。なお、以下の説明は通信環境が同じであるという条件の下に成り立つ。
【００４９】
基地局における送信電力制御信号の生成処理のケースについては、既に説明したが、受信ＳＩＲ推定精度およびフィードバック遅延の観点から以下に説明する。
【００５０】
ケース１、２：このケースは送信電力制御信号の生成処理がデッドラインまでに終了する場合である。このケースでは、ビット削減による受信ＳＩＲ推定精度の低下がなく、移動局へのフィードバック遅延もない。
【００５１】
ケース３：このケースは送信電力制御信号の生成処理がデッドラインまでに終了せず、移動局への送信電力制御信号フィードバックが遅れている場合である。このケースでは、ビット削減による受信ＳＩＲ推定精度の低下がないが、移動局へのフィードバック遅延がある。
【００５２】
ケース４（ケース４１、４２を含む）：このケースは送信電力制御信号の生成処理がデッドラインまでに終了するように、受信ＳＩＲ推定に用いるパイロット信号のビット数を削減し、移動局へのフィードバック遅延を回避している場合である。このケースでは、ビット削減による受信ＳＩＲ推定精度の低下があるが、移動局へのフィードバック遅延はない。
【００５３】
ケース１、２は通常の動作状態であるため、ケース１、２をケース３もしくはケース４の状態に変える必要はない。そこで、送信電力制御信号の生成処理に遅延が発生してデッドラインを超えた場合に、ケース３／ケース４のどちらを選択するのかを目標ＳＩＲであるｔａｒｇｅｔ  ＳＩＲによって切り替える処理を追加する。
【００５４】
ｔａｒｇｅｔ  ＳＩＲ（目標ＳＩＲ）が低くなる、すなわち信号対雑音比（Ｃ／Ｎ）が低くなると、受信ＳＩＲ推定に用いるパイロット信号のビット数を減らして得た受信ＳＩＲ推定値の精度の低下が著しくなり、結果的に送信電力制御精度の低下につながるので、ｔａｒｇｅｔ  ＳＩＲ（目標ＳＩＲ）が低い場合には、送信電力制御のフィードバック遅延が発生するとしても、パイロット信号のビット数をできるだけ多く使って受信ＳＩＲ推定を行う方が通信品質の劣化は少ない。
【００５５】
一方、ｔａｒｇｅｔ  ＳＩＲが高くなると、パイロット信号のパイロットビット数を減らして推定した受信ＳＩＲ推定値でも必要十分な推定精度が得られるため、本発明によるフィードバック遅延を発生させない処理によって通信品質の劣化が抑制できる。
【００５６】
図４は、以上説明した第２の実施形態における送信電力制御信号生成処理の場合分けフローチャートである。例えば、ｔａｒｇｅｔ  ＳＩＲが５ｄＢ（所定ＳＩＲ）よりも低くなると受信ＳＩＲ推定値の精度低下が通信品質に影響を及ぼす通信環境であれば、ｔａｒｇｅｔ  ＳＩＲが５ｄＢ（所定ＳＩＲ）以下ではケース３を選択して受信ＳＩＲの推定精度を優先し、ｔａｒｇｅｔ  ＳＩＲが５ｄＢ（所定ＳＩＲ）よりも大きい場合にはケース４を選択してフィードバック遅延を回避するといった場合分けを行う。以下に、図４についてフローに沿って説明する。
【００５７】
送信電力制御信号生成処理がデッドラインに間に合うか否かを判断する（ステップＳ１）。間に合えば（ＹＥＳの場合）、通常の処理（ステップＳ５）を行う。間に合わなければ（ＮＯの場合）、ｔａｒｇｅｔ  ＳＩＲの大きさを判断する（ステップＳ２）。ｔａｒｇｅｔ  ＳＩＲが所定ＳＩＲより小さければ、フィードバック遅延を認めパイロットビットを全て使用する（ステップＳ４）。ｔａｒｇｅｔ  ＳＩＲが所定ＳＩＲより大きければ、フィードバック遅延の発生を認めずパイロットビット数を削減（変更）する（ステップＳ３）。
【００５８】
第２の実施形態の効果を表す一例として、図５にｔａｒｇｅｔ  ＳＩＲ対Ｂｉｔ  Ｅｒｒｏｒ  Ｒａｔｅ（ＢＥＲ）特性を示す。グラフは片対数であり、横軸のｔａｒｇｅｔ  ＳＩＲはリニア軸で右へ行くほど数値が大きくなり、縦軸のＢＥＲは対数軸で上へ行くほどＢＥＲが悪くなる。
【００５９】
実線は通常状態、荒い点線はｔａｒｇｅｔ  ＳＩＲや送信電力制御信号生成処理とデッドラインの時間関係に関係なく、意図的に常時パイロットビットを削減させた場合、細かい点線はｔａｒｇｅｔ  ＳＩＲや送信電力制御信号生成処理とデッドラインの時間関係に関係なく、意図的に常時フィードバック遅延を発生させた場合のＢＥＲを示す。この例の場合、横軸のある値ｘ（所定ＳＩＲ）で図４の場合分けを行えば、全てのｔａｒｇｅｔ  ＳＩＲにおいて最善の通信品質が得られることになる。
【００６０】
この第２の実施形態においても、移動局における送信電力制御処理に変更はない。
【００６１】
なお、本発明は上記の各実施形態に限定されず、本発明の技術思想の範囲内において、各実施形態が適宜変更され実施し得ることは明らかである。例えば、第１、第２の実施形態の符号分割多重通信の送信電力制御通信装置は、基地局に設置されることを前提に説明したが、基地局及び／又は移動局に設置して移動体通信システムとして使用することができる。
【００６２】
【発明の効果】
本発明は、以下のような効果を奏する。第１の効果は、送信電力制御のフィードバック遅延を回避し、通信品質の劣化を抑制できることである。その理由は、送信電力制御信号生成処理の遅延状態によって受信ＳＩＲ推定に用いるパイロットビットの長さを調整し、送信電力制御のフィードバック遅延を発生させないためである。この送信電力制御処理遅延監視機能は、送信電力制御信号の生成処理がデッドラインまでに終了するか否かを判断し、終了しない場合は受信ＳＩＲ推定に使用されるパイロット信号の長さを変えることで送信電力制御信号生成処理をデッドラインまでに終わらせる。この処理により、上り受信信号の遅延等が発生して送信電力制御信号の生成処理がデッドラインまでに終了しない場合においてもフィードバック遅延を発生させずに移動局へ送信電力制御信号を送信することが可能となり、送信電力制御の精度を高水準に維持する効果が得られる。
【００６３】
第２の効果は、ｔａｒｇｅｔ  ＳＩＲ値に関係なく送信電力制御の精度を高水準に維持できることである。その理由は、ｔａｒｇｅｔ  ＳＩＲによってフィードバック遅延を許可するか否かを決定する場合分けにより、受信ＳＩＲ推定に用いるパイロットビット数を調整する機能を備えているためである。
【図面の簡単な説明】
【図１】本発明における第１の実施形態の送信電力制御信号生成処理のブロック図である。
【図２】本発明における第１の実施形態のフィードバック遅延回避のための処理タイミングチャートである。
【図３】本発明における第２の実施形態の送信電力制御信号生成処理のブロック図である。
【図４】本発明における第２の実施形態の送信電力制御信号生成処理の場合分けのフローチャートである。
【図５】本発明における第２の実施形態のｔａｒｇｅｔ  ＳＩＲ対ＢＥＲ特性例である。
【図６】基本的形態（従来）の送信電力制御信号生成処理のブロック図である。
【図７】基本的形態（従来）の送信電力制御信号生成のタイミングチャートである。
【図８】基本的形態（従来）のフィードバック遅延発生のタイミングチャートである。
【符号の説明】
１１    受信ＳＩＲ推定部
１２    比較部
１３    ｔａｒｇｅｔ  ＳＩＲ発生部
１４    送信電力制御信号生成部
２１    受信ＳＩＲ推定部
２２    送信電力制御信号生成部
２３    デッドライン発生部
３１    受信ＳＩＲ推定部
３３    ｔａｒｇｅｔ  ＳＩＲ発生部
２０１    パイロット信号
２０２〜２０５    送信電力制御信号生成処理の終了時点
２０６    ＴＰＣ
７０１    パイロット信号
７０２    ＴＰＣ
８０１〜８０３    送信電力制御信号生成処理の終了時点
８０４、８０５    ＴＰＣ
８０６    ＴＰＣ８０４の先頭位置を表す時点
８０７、８０８    スロット
【図１】
0003926174.tif 000002
【図２】
0003926174.tif 000003
【図３】
0003926174.tif 000004
【図４】
0003926174.tif 000005
【図５】
0003926174.tif 000006
【図６】
0003926174.tif 000007
【図７】
0003926174.tif 000008
【図８】
0003926174.tif 000009